(57)【特許請求の範囲】
【請求項１】
電子機器に用いられる画面分割表示方法であって、
マルチタスク管理インターフェースを表示するようトリガするための操作信号を受信するステップと、
取得した、前記電子機器で動作しているアプリケーションがそれぞれ表示されている前記マルチタスク管理インターフェースを表示するステップと、
動作中である第１アプリケーションおよび動作中である少なくとも１つの第２アプリケーションをユーザが選択したと検出された場合、前記第１アプリケーションと前記少なくとも１つの第２アプリケーションとに基づいて画面分割表示インターフェースを生成するステップと、
前記画面分割表示インターフェースを表示し、前記画面分割表示インターフェースで前記第１アプリケーションと前記少なくとも１つの第２アプリケーションとを同時に動作させて表示するステップと、を含み、
上記した動作中である第１アプリケーションおよび動作中である少なくとも１つの第２アプリケーションをユーザが選択したと検出された場合、前記第１アプリケーションと前記少なくとも１つの第２アプリケーションとに基づいて画面分割表示インターフェースを生成するステップは、
動作中である第１アプリケーションおよび動作中である少なくとも１つの第２アプリケーションをユーザが選択したと検出された場合、前記マルチタスク管理インターフェースにおいて前記第１アプリケーションと前記少なくとも１つの第２アプリケーションとに基づいて画面分割表示インターフェースに対応するプレビューインターフェースを生成するようトリガするステップを含むことを特徴とする画面分割表示方法。
【請求項２】
上記した前記マルチタスク管理インターフェースにおいて前記第１アプリケーションと前記少なくとも１つの第２アプリケーションとに基づいて画面分割表示インターフェースに対応するプレビューインターフェースを生成するようトリガするステップは、
前記第１アプリケーションおよび前記少なくとも１つの第２アプリケーションを順次繋ぎ合わせて、且つ、前記第１アプリケーションおよび前記少なくとも１つの第２アプリケーションの繋ぎ合わせ順に従って前記プレビューインターフェースが第１表示領域と第２表示領域とに分かれるように、画面分割表示インターフェースに対応するプレビューインターフェースを生成するステップを含み、
前記第１表示領域に前記第１アプリケーションを表示し、前記第２表示領域に前記少なくとも１つの第２アプリケーションを表示することを特徴とする請求項１に記載の画面分割表示方法。
【請求項３】
前記画面分割表示インターフェースを表示し、前記画面分割表示インターフェースに前記第１アプリケーションと前記少なくとも１つの第２アプリケーションとを同時に動作させて表示するステップは、
前記プレビューインターフェースのページレイアウトに従って前記画面分割表示インターフェースを表示するように前記電子機器を制御するステップを含み、前記画面分割表示インターフェースの第１分割領域で前記第１アプリケーションを動作させて表示し、前記画面分割表示インターフェースの第２分割領域で前記少なくとも１つの第２アプリケーションを動作させて表示することを特徴とする請求項２に記載の画面分割表示方法。
【請求項４】
前記画面分割表示インターフェースは、多機能仮想キーを含み、前記多機能仮想キーは、画面分割退出ウィジェットと交換ウィジェットと切替ウィジェットセットとのうちの少なくとも１つを表示するようにガイドし、
表示中の前記画面分割退出ウィジェットがトリガされると、前記画面分割表示インターフェースから退出するように制御し、
表示中の前記交換ウィジェットがトリガされると、前記画面分割表示インターフェースにおける第１分割領域と第２分割領域とが分割領域に表示されているアプリケーションを互いに交換するように制御し、
前記切替ウィジェットセットは、前記第１分割領域に表示されている第１アプリケーションを切り替えるための第１切替ウィジェットと、前記第２分割領域に表示されている前記少なくとも１つの第２アプリケーションを切り替えるための第２切替ウィジェットとを含み、
前記第１切替ウィジェットがトリガされると、前記第１分割領域に動作して表示されている第１アプリケーションを第３アプリケーションに切り替え、前記第２切替ウィジェットがトリガされると、前記第２分割領域に表示されている少なくとも１つの第２アプリケーションを少なくとも１つの第４アプリケーションに切り替えることを特徴とする請求項１から３の何れか一項に記載の画面分割表示方法。
【請求項５】
前記画面分割表示インターフェースから退出するように制御することは、
前記第１分割領域に動作して表示されている前記第１アプリケーションを前記電子機器がフル画面表示するように制御し、且つ前記第２分割領域に動作して表示されている前記少なくとも１つの第２アプリケーションがバックグラウンドに回って動作するように制御することを含み、または、
前記電子機器がデスクトップをフル画面表示するように制御し、且つ前記第１アプリケーションおよび前記少なくとも１つの第２アプリケーションがバックグラウンドに回って動作するように制御することを含み、または、
前記第１分割領域に動作して表示されている前記第１アプリケーションがバックグラウンドに回って動作するように制御し、且つ前記第２分割領域に動作している前記少なくとも１つの第２アプリケーションのみを前記電子機器が表示するように制御することを含むことを特徴とする請求項４に記載の画面分割表示方法。
【請求項６】
電子機器に用いられる画面分割表示装置であって、
マルチタスク管理インターフェースを表示するようトリガするための操作信号を受信するように構成される取得モジュールと、
取得した、前記電子機器で動作しているアプリケーションがそれぞれ表示されている前記マルチタスク管理インターフェースを表示するように構成される第１表示モジュールと、
動作中である第１アプリケーションおよび動作中である少なくとも１つの第２アプリケーションをユーザが選択したと検出された場合、前記第１アプリケーションと前記少なくとも１つの第２アプリケーションとに基づいて画面分割表示インターフェースを生成するように構成される処理モジュールと、
前記画面分割表示インターフェースを表示し、前記画面分割表示インターフェースに前記第１アプリケーションと前記少なくとも１つの第２アプリケーションとを同時に動作して表示させるように構成される第２表示モジュールと、を備え、
前記処理モジュールは、動作中である第１アプリケーションおよび動作中である少なくとも１つの第２アプリケーションをユーザが選択したと検出された場合、前記マルチタスク管理インターフェースにおいて前記第１アプリケーションと前記少なくとも１つの第２アプリケーションとに基づいて前記画面分割表示インターフェースに対応するプレビューインターフェースを生成するようトリガするように構成されることを特徴とする画面分割表示装置。
【請求項７】
前記処理モジュールは、前記第１アプリケーションおよび前記少なくとも１つの第２アプリケーションを順次繋ぎ合わせて、且つ、前記第１アプリケーションおよび前記少なくとも１つの第２アプリケーションの繋ぎ合わせ順に従って前記プレビューインターフェースが第１表示領域と第２表示領域とに分かれるように、画面分割表示インターフェースに対応するプレビューインターフェースを生成するように構成され、
前記第１表示領域に前記第１アプリケーションを表示させ、前記第２表示領域に前記少なくとも１つの第２アプリケーションを表示させることを特徴とする請求項６に記載の画面分割表示装置。
【請求項８】
前記第２表示モジュールは、前記電子機器が前記プレビューインターフェースのページレイアウトに従って前記画面分割表示インターフェースを表示するように制御するように構成され、
前記画面分割表示インターフェースの第１分割領域に前記第１アプリケーションを動作して表示させ、前記画面分割表示インターフェースの第２分割領域に前記少なくとも１つの第２アプリケーションを動作して表示させることを特徴とする請求項７に記載の画面分割表示装置。
【請求項９】
前記画面分割表示インターフェースは、多機能仮想キーを含み、前記多機能仮想キーは、画面分割退出ウィジェットと交換ウィジェットと切替ウィジェットセットとのうちの少なくとも１つを表示するようにガイドし、
前記装置は、第１制御モジュールと、第２制御モジュールと、第３制御モジュールと、をさらに備え、
前記第１制御モジュールは、表示中である前記画面分割退出ウィジェットがトリガされると、前記画面分割表示インターフェースから退出するように制御するように構成され、
前記第２制御モジュールは、表示中である前記交換ウィジェットがトリガされると、前記画面分割表示インターフェースにおける第１分割領域と第２分割領域とを制御して、該分割領域に表示されているアプリケーションを互いに交換するように制御するように構成され、
前記切替ウィジェットセットは、前記第１分割領域に表示されている第１アプリケーションを切り替えるための第１切替ウィジェットと、前記第２分割領域に表示されている前記少なくとも１つの第２アプリケーションを切り替えるための第２切替ウィジェットとを含み、
前記第３制御モジュールは、前記第１切替ウィジェットがトリガされると、前記第１分割領域で動作して表示されている第１アプリケーションを第３アプリケーションに切り替え、前記第２切替ウィジェットがトリガされると、前記第２分割領域に表示されている少なくとも１つの第２アプリケーションを少なくとも１つの第４アプリケーションに切り替えるように構成されることを特徴とする請求項６から８の何れか一項に記載の画面分割表示装置。
【請求項１０】
前記第１制御モジュールは、
前記第１分割領域で動作して表示されている前記第１アプリケーションをフルスクリーン表示するように前記電子機器を制御し、且つ前記第２分割領域で動作して表示されている前記少なくとも１つの第２アプリケーションをバックグラウンドで動作するように制御するように構成される第１制御サブモジュール、または、
デスクトップをフルスクリーン表示するように前記電子機器を制御し、且つ前記第１アプリケーションおよび前記少なくとも１つの第２アプリケーションをバックグラウンドで動作するように制御するように構成される第２制御サブモジュール、または、
前記第１分割領域で動作して表示されている前記第１アプリケーションをバックグラウンドで動作するように制御し、且つ前記第２分割領域で動作している前記少なくとも１つの第２アプリケーションのみを表示するように前記電子機器を制御するように構成される第３制御サブモジュール、を有することを特徴とする請求項９に記載の画面分割表示装置。
【請求項１１】
電子機器に用いられる画面分割表示装置であって、
プロセッサと、
プロセッサの実行可能な指令を記憶するためのメモリとを備え、
前記プロセッサは、
マルチタスク管理インターフェースを表示するようトリガするための操作信号を受信し、
取得した、前記電子機器で動作しているアプリケーションがそれぞれ表示されている前記マルチタスク管理インターフェースを表示し、
動作中である第１アプリケーションおよび動作中である少なくとも１つの第２アプリケーションをユーザが選択したと検出された場合、前記第１アプリケーションと前記少なくとも１つの第２アプリケーションとに基づいて画面分割表示インターフェースを生成し、
前記画面分割表示インターフェースを表示し、前記画面分割表示インターフェースに前記第１アプリケーションと前記少なくとも１つの第２アプリケーションとを同時に動作させて表示するように構成され、
上記した動作中である第１アプリケーションおよび動作中である少なくとも１つの第２アプリケーションをユーザが選択したと検出された場合、前記第１アプリケーションと前記少なくとも１つの第２アプリケーションとに基づいて画面分割表示インターフェースを生成することは、
動作中である第１アプリケーションおよび動作中である少なくとも１つの第２アプリケーションをユーザが選択したと検出された場合、前記マルチタスク管理インターフェースにおいて前記第１アプリケーションと前記少なくとも１つの第２アプリケーションとに基づいて画面分割表示インターフェースに対応するプレビューインターフェースを生成するようトリガすることを含むことを特徴とする画面分割表示装置。
【発明の詳細な説明】
【技術分野】
【０００１】
本発明は、電子機器分野に関し、特に画面分割表示方法および装置に関する。
【背景技術】
【０００２】
スマートオペレーティングシステムを搭載した電子機器は、１つのアプリケーションがフォアグラウンドで動作することのみをサポートする。つまり、電子機器のディスプレイスクリーンには、実行状態であるアプリケーションのみしか表示することができない。
【０００３】
ユーザは、２つのアプリケーションを同時に使用しようとする場合、フォアグラウンドで動作するプログラムを繰り返し切り替えるしかない。例えば、ユーザがアプリケーションＡとアプリケーションＢを同時に使用する必要がある場合、アプリケーションＡがフォアグラウンドで動作し、アプリケーションＢがバックグラウンドで動作している。ユーザがアプリケーションＢを見るには、アプリケーションＡをバックグラウンドに切り替えて実行してから、アプリケーションＢをフォアグラウンドに切り替えて実行する必要がある。また、ユーザがアプリケーションＡを再度見るには、再びアプリケーションＡをフォアグラウンドに切り替えて実行する必要がある。このような、関連技術に供される電子機器上にアプリケーションを表示する方式は単調すぎる。
【発明の概要】
【発明が解決しようとする課題】
【０００４】
本発明は、画面分割表示方法および装置を提供する。その解決手段は、下記の通りである。
【課題を解決するための手段】
【０００５】
本発明の実施例の第１態様によれば、画面分割表示方法を提供する。当該方法は、電子機器に用いられる。前記方法は、マルチタスク管理インターフェースを表示するようトリガするための操作信号を受信するステップと、取得した、前記電子機器で動作しているアプリケーションがそれぞれ表示されている前記マルチタスク管理インターフェースを表示するステップと、動作中である第１アプリケーションおよび動作中である少なくとも１つの第２アプリケーションをユーザが選択したと検出された場合、前記第１アプリケーションと前記少なくとも１つの第２アプリケーションとに基づいて画面分割表示インターフェースを生成するステップと、前記画面分割表示インターフェースを表示し、前記画面分割表示インターフェースで前記第１アプリケーションと前記少なくとも１つの第２アプリケーションとを同時に動作させて表示するステップとを含む。
【０００６】
ある実施例では、前記動作中である第１アプリケーションおよび動作中である少なくとも１つの第２アプリケーションをユーザが選択したと検出された場合、前記第１アプリケーションと前記少なくとも１つの第２アプリケーションとに基づいて画面分割表示インターフェースを生成するステップは、
動作中である第１アプリケーションおよび動作中である少なくとも１つの第２アプリケーションをユーザが選択したと検出された場合、前記マルチタスク管理インターフェースにおいて、前記第１アプリケーションと前記少なくとも１つの第２アプリケーションとに基づいて画面分割表示インターフェースに対応するプレビューインターフェースを生成するようトリガするステップを含む。
【０００７】
ある実施例では、前記マルチタスク管理インターフェースにおいて、前記第１アプリケーションと前記少なくとも１つの第２アプリケーションとに基づいて画面分割表示インターフェースに対応するプレビューインターフェースを生成するようトリガするステップは、前記第１アプリケーションおよび前記少なくとも１つの第２アプリケーションを順次繋ぎ合わせて、且つ、前記第１アプリケーションおよび前記少なくとも１つの第２アプリケーションの繋ぎ合わせ順に従って前記プレビューインターフェースが第１表示領域と第２表示領域とに分かれるように、画面分割表示インターフェースに対応するプレビューインターフェースを生成するステップを含み、前記第１表示領域に前記第１アプリケーションを表示し、前記第２表示領域に前記少なくとも１つの第２アプリケーションを表示する。
【０００８】
ある実施例では、前記画面分割表示インターフェースを表示し、前記画面分割表示インターフェースで前記第１アプリケーションと前記少なくとも１つの第２アプリケーションとを同時に動作させて表示するステップは、前記プレビューインターフェースのページレイアウトに従って前記画面分割表示インターフェースを表示するように前記電子機器を制御するステップを含み、前記画面分割表示インターフェースの第１分割領域に前記第１アプリケーションを動作させて表示すると共に、前記画面分割表示インターフェースの第２分割領域に前記少なくとも１つの第２アプリケーションを動作させて表示する。
【０００９】
ある実施例では、前記画面分割表示インターフェースは、多機能仮想キーを含み、前記多機能仮想キーは、画面分割退出ウィジェットと交換ウィジェットと切替ウィジェットセットとのうちの少なくとも１つを表示するようにガイドする。表示中の前記画面分割退出ウィジェットがトリガされると、前記画面分割表示インターフェースから退出するように制御し、表示中の前記交換ウィジェットがトリガされると、前記画面分割表示インターフェースにおける前記第１分割領域と前記第２分割領域とを制御して、該分割領域に表示されているアプリケーションをそれぞれ交換する。前記切替ウィジェットセットは、前記第１分割領域に表示されている第１アプリケーションを切り替えるための第１切替ウィジェットと、前記第２分割領域に表示されている前記少なくとも１つの第２アプリケーションを切り替えるための第２切替ウィジェットとを含み、前記第１切替ウィジェットがトリガされると、前記第１分割領域に表示されている第１アプリケーションを第３アプリケーションに切り替え、前記第２切替ウィジェットがトリガされると、前記第２分割領域に表示されている少なくとも１つの第２アプリケーションを少なくとも１つの第４アプリケーションに切り替える。
【００１０】
ある実施例では、前記画面分割表示インターフェースから退出するように制御することは、前記第１分割領域において動作して表示されている前記第１アプリケーションをフルスクリーンで表示するように前記電子機器を制御すると共に、前記第２分割領域において動作して表示されている前記少なくとも１つの第２アプリケーションをバックグラウンドで動作するように制御することを含み、または、デスクトップをフルスクリーンで表示するように前記電子機を制御すると共に、前記第１アプリケーションおよび前記少なくとも１つの第２アプリケーションをバックグラウンドで動作するように前記電子機器を制御することを含み、または、前記第１分割領域において動作して表示されている前記第１アプリケーションをバックグラウンドで動作するように制御すると共に、前記第２分割領域において動作している前記少なくとも１つの第２アプリケーションのみを表示するように前記電子機器を制御することを含む。
【００１１】
本発明の実施例の第２態様によれば、画面分割表示装置を提供する。当該装置は、電子機器に用いられる。前記装置は、マルチタスク管理インターフェースを表示するようトリガするための操作信号を受信するように構成される取得モジュールと、取得した、前記電子機器で動作しているアプリケーションがそれぞれ表示されている前記マルチタスク管理インターフェースを表示するように構成される第１表示モジュールと、動作中である第１アプリケーションおよび動作中である少なくとも１つの第２アプリケーションをユーザが選択したと検出された場合、前記第１アプリケーションと前記少なくとも１つの第２アプリケーションとに基づいて画面分割表示インターフェースを生成するように構成される処理モジュールと、前記画面分割表示インターフェースを表示し、前記画面分割表示インターフェースで前記第１アプリケーションと前記少なくとも１つの第２アプリケーションとを同時に動作させて表示するように構成される第２表示モジュールと、を備える。
【００１２】
ある実施例では、前記処理モジュールは、動作中である第１アプリケーションおよび動作中である少なくとも１つの第２アプリケーションをユーザが選択したと検出された場合、前記マルチタスク管理インターフェースにおいて、前記第１アプリケーションと前記少なくとも１つの第２アプリケーションとに基づいて画面分割表示インターフェースに対応するプレビューインターフェースを生成するようトリガするように構成される。
【００１３】
ある実施例では、前記処理モジュールは、前記第１アプリケーションおよび前記少なくとも１つの第２アプリケーションを順次繋ぎ合わせて、且つ、前記第１アプリケーションおよび前記少なくとも１つの第２アプリケーションの繋ぎ合わせ順に従って前記プレビューインターフェースが第１表示領域と第２表示領域とに分かれるように、画面分割表示インターフェースに対応するプレビューインターフェースを生成するように構成され、前記第１表示領域に前記第１アプリケーションを表示し、前記第２表示領域に前記少なくとも１つの第２アプリケーションを表示する。
【００１４】
ある実施例では、前記第２表示モジュールは、前記プレビューインターフェースのページレイアウトに従って前記画面分割表示インターフェースを表示するように前記電子機器を制御するように構成され、前記画面分割表示インターフェースの第１分割領域に前記第１アプリケーションを動作させて表示すると共に、前記画面分割表示インターフェースの第２分割領域に前記少なくとも１つの第２アプリケーションを動作させて表示する。
【００１５】
ある実施例では、前記画面分割表示インターフェースは、多機能仮想キーを含み、前記多機能仮想キーは、画面分割退出ウィジェットと交換ウィジェットと切替ウィジェットセットとのうちの少なくとも１つを表示するようにガイドする。前記装置は、第１制御モジュールと、第２制御モジュールと、第３制御モジュールとをさらに備える。前記第１制御モジュールは、表示中の前記画面分割退出ウィジェットがトリガされると、前記画面分割表示インターフェースから退出するように制御するように構成され、前記第２制御モジュールは、表示中の前記交換ウィジェットがトリガされると、前記画面分割表示インターフェースにおける前記第１分割領域と前記第２分割領域とを制御して、該分割領域に表示されているアプリケーションをそれぞれ交換するように構成され、前記切替ウィジェットセットは、前記第１分割領域に表示されている第１アプリケーションを切り替えるための第１切替ウィジェットと、前記第２分割領域に表示されている前記少なくとも１つの第２アプリケーションを切り替えるための第２切替ウィジェットとを含み、前記第３制御モジュールは、前記第１切替ウィジェットがトリガされると、前記第１分割領域に表示されている第１アプリケーションを第３アプリケーションに切り替え、前記第２切替ウィジェットがトリガされると、前記第２分割領域に表示されている少なくとも１つの第２アプリケーションを少なくとも１つの第４アプリケーションに切り替えるように構成される。
【００１６】
ある実施例では、前記第１制御モジュールは、前記第１分割領域において動作して表示されている前記第１アプリケーションをフルスクリーンで表示するように前記電子機器を制御すると共に、前記第２分割領域において動作して表示されている前記少なくとも１つの第２アプリケーションをバックグラウンドで動作するように制御するように構成される第１制御サブモジュール、または、デスクトップをフルスクリーンで表示するように前記電子機器を制御すると共に、且つ前記第１アプリケーションおよび前記少なくとも１つの第２アプリケーションをバックグラウンドで動作するように制御するように構成される第２制御サブモジュール、または、前記第１分割領域において動作して表示されている前記第１アプリケーションをバックグラウンドで動作するように制御すると共に、且つ前記第２分割領域において動作している前記少なくとも１つの第２アプリケーションのみを表示するように前記電子機器を制御するように構成される第３制御サブモジュール、を有する。
【００１７】
本発明の実施例の第３態様によれば、画面分割表示装置を提供する。当該装置は、電子機器に用いられる。前記装置は、プロセッサと、プロセッサの実行可能な指令を記憶するためのメモリとを備える。前記プロセッサは、マルチタスク管理インターフェースを表示するようトリガするための操作信号を受信し、取得した、前記電子機器で動作しているアプリケーションがそれぞれ表示されている前記マルチタスク管理インターフェースを表示し、動作中である第１アプリケーションおよび動作中である少なくとも１つの第２アプリケーションをユーザが選択したと検出された場合、前記第１アプリケーションと前記少なくとも１つの第２アプリケーションとに基づいて画面分割表示インターフェースを生成し、前記画面分割表示インターフェースを表示し、前記画面分割表示インターフェースで前記第１アプリケーションと前記少なくとも１つの第２アプリケーションとを同時に動作して表示するように構成される。
【発明の効果】
【００１８】
本発明の実施例に供される技術案は、以下の格別な作用効果を奏することができる。
【００１９】
本発明の実施例に供される画面分割表示方法では、マルチタスク管理インターフェースを表示するようトリガするための操作信号を受信し、前記マルチタスク管理インターフェースを表示し、マルチタスク管理インターフェース上に表示されている動作中である第１アプリケーションおよび動作中である少なくとも１つの第２アプリケーションをユーザが選択したと検出されたときに画面分割表示インターフェースを生成し、その後、前記第１アプリケーションおよび前記少なくとも１つの第２アプリケーションを前記画面分割表示インターフェースで同時に実行して表示し、生成された画面分割表示インターフェースにてユーザによって選択された第１アプリケーションおよび第２アプリケーションを同時に実行して表示することにより、ユーザが少なくとも２つの異なるアプリケーションを同時に使用可能であるため、電子機器にアプリケーションを表示する方式が単調過ぎるという関連技術の課題が解決でき、ユーザ体験が向上する。
【００２０】
以上の一般的な記述および後述する詳細な説明は、単なる例示的なものであり、本発明を制限するものでないことは、理解されるべきである。
【図面の簡単な説明】
【００２１】
ここでの図面は、明細書を構成する一部として見なされ、本発明に適した実施例を示し、かつ、明細書の記載と共に本発明の仕組みを解釈するために用いられる。
【図１】一実施例による画面分割表示方法を示すフローチャートである。
【図２Ａ】別の実施例による画面分割表示方法を示すフローチャートである。
【図２Ｂ】一実施例によるマルチタスク管理インターフェースの表示をトリガする模式図である。
【図２Ｃ】一実施例によるマルチタスク管理インターフェースを示すインターフェース模式図である。
【図２Ｄ】一実施例による画面分割表示インターフェースのプレビューを生成する手順を示す模式図である。
【図２Ｅ】一実施例による画面分割表示インターフェースのプレビューを生成する手順を示す模式図である。
【図２Ｆ】一実施例による画面分割表示インターフェースの表示模式図である。
【図２Ｇ】一実施例による画面分割表示インターフェースの表示模式図である。
【図２Ｈ】一実施例による画面分割表示インターフェース上の仮想キーがトリガされて画面が切り替えられた状態を示す模式図である。
【図２Ｉ】一実施例による画面分割表示インターフェースのプレビューを生成する手順を示す模式図である。
【図２Ｊ】一実施例による画面分割表示インターフェースの表示模式図である。
【図２Ｋ】一実施例による画面分割表示インターフェースの表示模式図である。
【図３】一実施例による画面分割表示装置を示すブロック図である。
【図４】別の実施例による画面分割表示装置を示すブロック図である。
【図５】一実施例による画面分割表示のための装置を示すブロック図である。
【発明を実施するための形態】
【００２２】
以下、図に示す例を参照しながら実施例を詳細に説明する。以下の記述が図に係る場合、別途示さない限り、異なる図面における同じ符号は、同一または類似する要素を示す。以下の実施例に記述される実施形態は、本発明と一致する全ての実施形態を代表するとは限らない。逆に、それらは、添付の特許請求の範囲に記載されているように、本発明の一部の態様と一致する装置および方法の例に過ぎない。
【００２３】
また、本発明は、第１、第２、第３等の用語を使って各種の情報を説明するが、それらの情報は上記用語に限定されない。それらの用語は、同一種類の情報同士を区別するためのものに過ぎない。例えば、本発明の範囲から逸脱しない範囲で、第１の情報を第２の情報と称してもよい。同じように、第２の情報を第１の情報と称してもよい。ここで用いる用語「……場合」は、文脈の意味によって、「…とき」または「…と」または「…であるという判定に応じて」に解釈されてもよい。
【００２４】
本発明の実施例に供される技術案は、電子機器に用いられる。当該電子機器は、タッチスクリーンを介してタッチ操作を行える各種の端末、例えば、スマートフォン、タブレットＰＣ、パーソナルデジタルアシスタント（Ｐｅｒｓｏｎａｌ Ｄｉｇｉｔａｌ Ａｓｓｉｓｔａｎｔ、ＰＤＡ）等の、プロセッサと表示出力装置のタッチスクリーンとを有する端末であってもよい。
【００２５】
図１は、一実施例による画面分割表示方法を示すフローチャートである。当該画面分割表示方法は、タッチスクリーンを有する電子機器に用いられる。当該画面分割表示方法は、以下のステップを含んでもよい。
【００２６】
ステップ１０１では、マルチタスク管理インターフェースを表示するようトリガするための操作信号を受信する。
【００２７】
ステップ１０２では、取得した、前記電子機器で動作しているアプリケーションがそれぞれ表示されている前記マルチタスク管理インターフェースを表示する。
【００２８】
ステップ１０３では、動作中である第１アプリケーションおよび動作中である少なくとも１つの第２アプリケーションをユーザが選択したと検出された場合、前記第１アプリケーションと前記少なくとも１つの第２アプリケーションとに基づいて画面分割表示インターフェースを生成する。
【００２９】
ユーザは、マルチタスク管理インターフェース上に表示された電子機器で動作しているアプリケーションから、第１アプリケーションまたは第２アプリケーションを選択してもよい。電子機器は、ユーザによって選択された前記第１アプリケーションおよび第２アプリケーションに基づいて画面分割表示インターフェースを生成する。ある実施例では、動作中である第１アプリケーションおよび動作中である少なくとも１つの第２アプリケーションをユーザが選択したと検出された場合、前記マルチタスク管理インターフェースにおいて前記第１アプリケーションと前記少なくとも１つの第２アプリケーションとに基づいて画面分割表示インターフェースに対応するプレビューインターフェースを生成するようトリガする。
【００３０】
ある実施例では、前記マルチタスク管理インターフェースにおいて前記第１アプリケーションと前記少なくとも１つの第２アプリケーションとに基づいて画面分割表示インターフェースに対応するプレビューインターフェースを生成するようトリガするステップは、前記第１アプリケーションおよび前記少なくとも１つの第２アプリケーションを順次繋ぎ合わせて、且つ、前記第１アプリケーションおよび前記少なくとも１つの第２アプリケーションの繋ぎ合わせ順に従って前記プレビューインターフェースが第１表示領域と第２表示領域とに分かれるように、画面分割表示インターフェースに対応するプレビューインターフェースを生成するステップを含んでもよく、前記第１表示領域に前記第１アプリケーションを表示し、前記第２表示領域に前記少なくとも１つの第２アプリケーションを表示する。
【００３１】
ステップ１０４では、前記画面分割表示インターフェースを表示し、前記画面分割表示インターフェースで前記第１アプリケーションと前記少なくとも１つの第２アプリケーションとを同時に動作させて表示する。
【００３２】
ある実施例では、前記画面分割表示インターフェースを表示し、前記画面分割表示インターフェースで前記第１アプリケーションと前記少なくとも１つの第２アプリケーションとを同時に動作させて表示するステップは、前記プレビューインターフェースのページレイアウトに従って前記画面分割表示インターフェースを動作させて表示するように電子機器を制御するステップを含んでもよく、よって前記画面分割表示インターフェースの第１分割領域に前記第１アプリケーションを動作させて表示し、前記画面分割表示インターフェースの第２分割領域に前記少なくとも１つの第２アプリケーションを動作させて表示する。
【００３３】
このように、本発明の実施例に供される画面分割表示方法では、マルチタスク管理インターフェースを表示するようトリガするための操作信号を受信し、前記マルチタスク管理インターフェースを表示し、マルチタスク管理インターフェース上に表示されている動作中である第１アプリケーションおよび動作中である少なくとも１つの第２アプリケーションをユーザが選択したと検出されたときに画面分割表示インターフェースを生成し、その後、前記画面分割表示インターフェースで前記第１アプリケーションおよび前記少なくとも１つの第２アプリケーションを同時に実行して表示する。生成された画面分割表示インターフェースにてユーザによって選択された第１アプリケーションおよび第２アプリケーションを同時に実行して表示することにより、ユーザが少なくとも２つの異なるアプリケーションを同時に使用可能となるため、電子機器がアプリケーションを表示する方式が単調過ぎるという関連技術の課題を解決でき、ユーザ体験が向上する。
【００３４】
図２Ａは、別の実施例による画面分割表示方法を示すフローチャートである。当該画面分割表示方法は、タッチスクリーンを有する電子機器に用いられる。当該画面分割表示方法は、以下のステップを含んでもよい。
【００３５】
ステップ２０１では、マルチタスク管理インターフェースを表示するようトリガするための操作信号を受信する。
【００３６】
ここで所謂操作信号は、電子機器上のある物理キーがトリガされたときに生成されるものであってもよいし、ユーザが電子機器上のタッチスクリーンを用いて入力したジェスチャであってもよいし、電子機器が所定軌道に沿って揺れたときに発生したものであってもよい。本実施例では、操作信号について具体的な限定をせず、実際の状況に応じて特定してもよい。
【００３７】
本実施例では、電子機器上のある物理キーがトリガされて生成される操作信号を例として説明する。図２Ｂに示すように、電子機器２１には、マルチタスク管理インターフェースの表示をトリガするためのマルチタスクキー２２が含まれる。ユーザがマルチタスクキー２２をクリックすると、電子機器は、マルチタスク管理インターフェースを表示するようトリガするための操作信号を受信する。
【００３８】
マルチタスク管理インターフェースは、一般的に、動作しているアプリケーションをそれぞれ表示するためのものであり、マルチタスク管理インターフェース上の各アプリケーションは、当該アプリケーションのプレビューインターフェースの形式で表示されてもよい。ここで所謂プレビューインターフェースは、該アプリケーションがフォアグラウンドでの実行から退出する前の、電子機器のディスプレイスクリーン上に最後に表示されたページであってもよい。好ましくは、アプリケーションのプレビューインターフェースは、アプリケーションのメインインターフェースであってもよい。
【００３９】
ステップ２０２では、電子機器で動作しているアプリケーションをそれぞれ取得し、当該動作中のアプリケーションがそれぞれ表示されているマルチタスク管理インターフェースを表示する。
【００４０】
マルチタスク管理インターフェースで動作しているアプリケーションのそれぞれを表示する際、各アプリケーションは、当該アプリケーションのプレビューインターフェースの形式で表示される。
【００４１】
具体的には、各アプリケーションのプレビューインターフェースを表示する際、複数の配列方式で表示してもよい。例えば、第１所定順に従って各アプリケーションのプレビューインターフェースを単列で横方向に配列して表示してもよい。さらに例えば、第１所定順に従って各アプリケーションのプレビューインターフェースを二列で横方向に配列して表示してもよい。ここで所謂第１所定順は、アプリケーションが最近開かされた順番であってもよいし、アプリケーションが開かれた頻度の高い順や低い順であってもよい。実際の状況に応じて特定してもよいが、本実施例では、それについて具体的な限定をしない。
【００４２】
通常は、電子機器のディスプレイスクリーン内には限られた数のプレビューインターフェースのみが表示できる。もしユーザがより多くの動作中であるアプリケーションのプレビューインターフェースを見ようとする場合は、所定のジェスチャを入力することでより多くの動作中であるアプリケーションのプレビューインターフェースを表示するようトリガしてもよい。例を挙げると、動作中であるアプリケーションとして、アプリケーションＡ（ＡＰＰ Ａ）、アプリケーションＢ（ＡＰＰ Ｂ）、アプリケーションＣ（ＡＰＰ Ｃ）およびアプリケーションＤ（ＡＰＰ Ｄ）を含む。図２Ｃ（１）に示すように、各アプリケーションのプレビューインターフェースを単列で横方向に配列して表示すると、ディスプレイスクリーンの寸法の制限により、アプリケーションＤがディスプレイスクリーンに表示されない。その際、ユーザは、右スライドジェスチャを入力することで、図２Ｃ(２)に示すように、アプリケーションＤのプレビューインターフェースを表示するようトリガしてもよい。
【００４３】
ステップ２０３では、マルチタスク管理インターフェースで表示されているアプリケーションに対するユーザの操作信号を検出する。
【００４４】
ここで所謂操作信号は、ユーザがディスプレイスクリーンをタッチしてマルチタスク管理インターフェースで表示されているアプリケーションのプレビューインターフェースに対して操作を行うときに生成されるものである。本実施例では、ユーザは、タッチ方式で表示中のアプリケーションのプレビューインターフェースを移動させる操作をしてもよいし、アプリケーションのプレビューインターフェースをスライドさせてマルチタスク管理インターフェースでの前記アプリケーションの表示を取り消す操作をしてもよいし、アプリケーションのプレビューインターフェース上の機能識別子をクリックして対応する操作をしてもよいし、スライドジェスチャによりマルチタスク管理インターフェースで表示されているアプリケーションのプレビューインターフェースを切り替える操作等をしてもよい。
【００４５】
本発明の実施例では、電子機器のタッチスクリーンがマルチタッチ操作をサポートしており、ユーザは複数の指を使った操作によりマルチタスク管理インターフェースに表示されている複数のアプリケーションのプレビューインターフェースに対して同時に操作を行ってもよい。例えば、複数本の指によるタッチで、複数のアプリケーションのプレビューインターフェースを同時に選択し、選択したアプリケーションのプレビューインターフェースを移動させる操作を行う。ユーザがタッチスクリーン上において表示中であるアプリケーションのプレビューインターフェースに対してタッチ操作を行ったとき、電子機器は、ユーザのタッチ操作信号を検出し、当該検出したタッチ操作情報を解析する。もしマルチタスク管理インターフェースで表示されている第１アプリケーションのプレビューインターフェースと少なくとも１つの第２アプリケーションのプレビューインターフェースとがユーザによって選択されたことを当該タッチ操作情報が示す場合、ステップ２０４の操作を実行する。
【００４６】
ステップ２０４では、動作中である第１アプリケーションおよび動作中である少なくとも１つの第２アプリケーションをユーザが選択したと検出された場合、前記第１アプリケーションと前記少なくとも１つの第２アプリケーションとに基づいて画面分割表示インターフェースを生成する。
【００４７】
本実施例では、前記第１アプリケーションと前記少なくとも１つの第２アプリケーションとに基づいて画面分割表示インターフェースを生成するステップは、動作中である第１アプリケーションおよび動作中である少なくとも１つの第２アプリケーションをユーザが選択したと検出された場合、前記マルチタスク管理インターフェースにおいて前記第１アプリケーションと前記少なくとも１つの第２アプリケーションとに基づいて画面分割表示インターフェースに対応するプレビューインターフェースを生成するようトリガするステップを含んでもよい。
【００４８】
本実施例では、前記マルチタスク管理インターフェースにおいて前記第１アプリケーションと前記少なくとも１つの第２アプリケーションとに基づいて画面分割表示インターフェースに対応するプレビューインターフェースを生成するようトリガするステップは、前記第１アプリケーションおよび前記少なくとも１つの第２アプリケーションを順次繋ぎ合わせて、且つ、前記第１アプリケーションおよび前記少なくとも１つの第２アプリケーションの繋ぎ合わせ順に従って前記プレビューインターフェースが第１表示領域と第２表示領域とに分かれるように、画面分割表示インターフェースに対応するプレビューインターフェースを生成するステップを含んでもよく、前記第１表示領域に前記第１アプリケーションを表示し、前記第２表示領域に前記少なくとも１つの第２アプリケーションを表示する。
【００４９】
本実施例では、動作中である第１アプリケーションのプレビューインターフェースおよび動作中である少なくとも１つの第２アプリケーションのプレビューインターフェースをユーザが選択したと検出された後、マルチタスク管理インターフェースにおいて選択された第１アプリケーションのプレビューインターフェースと第２アプリケーションのプレビューインターフェースとに基づいて画面分割表示インターフェースに対応するプレビューインターフェースを生成するようトリガする。第１アプリケーションのプレビューインターフェースおよび第２アプリケーションのプレビューインターフェースに対するユーザの操作信号が引き続き検出され、もしユーザが第１アプリケーションのプレビューインターフェースおよび第２アプリケーションのプレビューインターフェースを移動させて第１アプリケーションのプレビューインターフェースおよび第２アプリケーションのプレビューインターフェースを繋ぎ合わせたと検出されると、２つのプレビューインターフェースの繋ぎ合わせ順に従って１つの繋ぎ合わせインターフェースを生成する。当該繋ぎ合わせインターフェースは、画面分割表示インターフェースのプレビューである。第１アプリケーションのプレビューインターフェースと第２アプリケーションのプレビューインターフェースとのつなぎ合わせ箇所を境界線として画面分割表示インターフェースのプレビューを２つの分割領域に分けたものを、本実施例では第１表示領域および第２表示領域と称し、第１表示領域に第１アプリケーションのプレビューインターフェースを表示し、第２表示領域に第２アプリケーションのプレビューインターフェースを表示する。
【００５０】
本実施例では、第１アプリケーションのプレビューインターフェースと第２アプリケーションのプレビューインターフェースとを繋ぎ合わせる操作の実現形態として、選択されたアプリケーションのプレビューインターフェース同士が向かい合って移動するように２本の指で同時に操作して、２つの選択されたアプリケーションのプレビューインターフェースを繋ぎ合わせ、または、選択されたアプリケーションのプレビューインターフェースの一方が選択されたプレビューインターフェースの他方へ向かって移動するように操作して、２つの選択されたアプリケーションのプレビューインターフェースを繋ぎ合わせる。
【００５１】
ここで、第２アプリケーションが１つである場合、第２表示領域も１つあり、第２アプリケーションを表示する。一方、第２アプリケーションが複数ある場合、第２表示領域も複数あり、第２アプリケーションをそれぞれ表示する。その際、第２表示領域は、第２アプリケーションのプレビューインターフェースの繋ぎ合わせ線によって区分される。
【００５２】
ユーザは、繋ぎ合わせによりマルチタスク管理インターフェースにおいて画面分割表示インターフェースのプレビューを生成してもよい。こうして、電子機器が画面分割表示インターフェースを表示する前に、ユーザが画面分割表示インターフェースを設計することができる。
【００５３】
本実施例では、ユーザは、第１アプリケーションのプレビューインターフェースおよび第２アプリケーションのプレビューインターフェースを、上下の順に従ってつなぎ合わせてもよいし、左右の順に従ってつなぎ合わせてもよい。
【００５４】
ある実施例において、図２Ｄおよび２Ｅは、画面分割表示インターフェースのプレビューを生成する手順を示す模式図である。図２Ｄに示すように、ユーザがマルチタスク管理インターフェースで複数本の指によるタッチによりアプリケーションＡのプレビューインターフェースおよびアプリケーションＢのプレビューインターフェースを選択すると、アプリケーションＡのプレビューインターフェースおよびアプリケーションＢのプレビューインターフェースが強調表示される。その後、ユーザが当該２つのプレビューインターフェースをドラッグすることで２つのプレビューインターフェースを自分の望む順番に従って繋ぎ合わせてもよい。例えば、アプリケーションＡのプレビューインターフェースおよびアプリケーションＢのプレビューインターフェースを上下の順に従ってつなぎ合わせ、図２Ｅ（１）と２Ｅ（２）に示すように、画面分割表示インターフェースのプレビューを生成する。
【００５５】
ステップ２０５では、前記画面分割表示インターフェースを表示し、前記画面分割表示インターフェースで前記第１アプリケーションと前記少なくとも１つの第２アプリケーションとを同時に動作させて表示する。
【００５６】
本実施例では、前記画面分割表示インターフェースを表示し、前記画面分割表示インターフェースで前記第１アプリケーションと前記少なくとも１つの第２アプリケーションとを同時に動作させて表示するステップは、画面分割表示インターフェースのプレビューインターフェースのページレイアウトに従って前記画面分割表示インターフェースを動作させて表示するように電子機器を制御するステップを含んでもよく、前記画面分割表示インターフェースの第１分割領域に前記第１アプリケーションを動作させて表示し、前記画面分割表示インターフェースの第２分割領域に前記少なくとも１つの第２アプリケーションを動作させて表示する。これにより、ユーザは、画面分割表示インターフェースで複数のアプリケーションを同時に操作可能とである。
【００５７】
図２Ｆは、画面分割表示インターフェースの表示模式図である。電子機器は、図２Ｅ（２）のユーザによる繋ぎ合わせにより得られた画面分割表示インターフェースのプレビューに基づいて、生成された画面分割表示インターフェースを表示する。当該画面分割表示インターフェースは、２つの表示領域に分けられる。第１表示領域にアプリケーションＡを動作されて表示し、第２表示領域にアプリケーションＢを動作させて表示する。これにより、ユーザは、画面分割表示インターフェースでアプリケーションＡおよびアプリケーションＢを同時に操作可能となる。
【００５８】
本実施例では、さらに、画面分割表示インターフェースに多機能仮想キーを配置してもよい。前記多機能仮想キーは、画面分割退出ウィジェットと、交換ウィジェットと、切替ウィジェットセットとのうちの少なくとも１つをディスプレイするようにガイドする。
【００５９】
表示中の前記画面分割退出ウィジェットがトリガされると、前記画面分割表示インターフェースから退出するように制御する。
【００６０】
表示中の前記交換ウィジェットがトリガされると、前記画面分割表示インターフェースにおける前記第１分割領域と前記第２分割領域とが分割領域に表示されているアプリケーションを互いに交換するように制御する。
【００６１】
前記切替ウィジェットセットは、前記第１分割領域に表示されている第１アプリケーションを切り替えるための第１切替ウィジェットと、前記第２分割領域に表示されている前記少なくとも１つの第２アプリケーションを切り替えるための第２切替ウィジェットとを含み、前記第１切替ウィジェットがトリガされると、前記第１分割領域に動作して表示されている第１アプリケーションを第３アプリケーションに切り替え、前記第２切替ウィジェットがトリガされると、前記第２分割領域に表示されている少なくとも１つの第２アプリケーションを少なくとも１つの第４アプリケーションに切り替える。ある実施例では、第１切替ウィジェットがトリガされると、マルチタスク管理インターフェースを表示し、表示されたマルチタスク管理インターフェースから１つの第３アプリケーションを選択する。第３アプリケーションが選択されると、第３アプリケーションをフォアグラウンドに切り替えて表示するか否かをユーザに尋ねる。ユーザが第３アプリケーションをフォアグラウンドに切り替えて表示することを選択した場合、第１表示領域で表示されている第１アプリケーションを第３アプリケーションに切り替えて表示する。同様に、第２切替ウィジェットがトリガされると、マルチタスク管理インターフェースを表示し、表示されたマルチタスク管理インターフェースから少なくとも１つの第４アプリケーションを選択する。第４アプリケーションが選択されると、第４アプリケーションをフォアグラウンドに切り替えて表示させるか否かをユーザに尋ねる。ユーザが第４アプリケーションをフォアグラウンドに切り替えて表示させることを選択した場合、第２表示領域で表示されている第２アプリケーションを第４アプリケーションに切り替えて表示する。
【００６２】
ある実施例では、前記画面分割表示インターフェースから退出するように制御することは、前記第１分割領域で動作して表示されている前記第１アプリケーションを前記電子機器がフルスクリーン表示するように制御し、且つ前記第２分割領域で動作して表示されている前記少なくとも１つの第２アプリケーションをバックグラウンドで動作するように制御することを含み、または、デスクトップをフルスクリーン表示するように前記電子機器を制御し、且つ前記第１アプリケーションおよび前記少なくとも１つの第２アプリケーションをバックグラウンドで動作するように制御することを含み、または、前記第１分割領域で動作して表示されている前記第１アプリケーションをバックグラウンドで動作するように制御し、且つ前記第２分割領域に動作している前記少なくとも１つの第２アプリケーションのみを表示するように前記電子機器を制御することを含む。
【００６３】
図２Ｇは、画面分割表示インターフェースの表示模式図である。当該画面分割表示インターフェースに多機能仮想キーが配置されている。多機能仮想キーがトリガされると、画面分割退出ウィジェット、交換ウィジェットおよび切替ウィジェットセットのうちの少なくとも１つを表示する。ここで所謂切り替えセットは、第１切替ウィジェットおよび第２切替ウィジェットを有する。
【００６４】
図２Ｈは、画面分割表示インターフェース上の仮想キーがトリガされたときの状態切り替えを示す模式図である。図２Ｇで表示されている画面分割退出ウィジェットがトリガされると、第１分割領域で動作して表示されているアプリケーションＡをフルスクリーン表示するように電子機器を制御し、前記第２分割領域で動作して表示されているアプリケーションＢをバックグラウンドで動作するように制御する。図２Ｇの表示インターフェースが図２Ｈに示すように切り替えられる。
【００６５】
別の実施例では、図２Ｇで表示されている画面分割退出ウィジェットがトリガされると、デスクトップをフルスクリーン表示するように電子機器を制御し、アプリケーションＡとＢをバックグラウンドで動作するように制御し、図２Ｂに示すデスクトップを表示する。その後、ユーザは、マルチタスク管理インターフェースを表示するように再トリガして、画面分割表示すべき複数のアプリケーションを選択してもよい。
【００６６】
別の応用場面では、図２Ｉに示すように、ユーザは、図２Ｃに示すマルチタスク管理インターフェースを表示するようにトリガし、アプリケーションＡ、ＢおよびＣのプレビューインターフェースを選択し、アプリケーションＡ、ＢおよびＣのプレビューインターフェースを繋ぎ合わせて画面分割表示インターフェースのプレビューピクチャを生成する。画面分割表示インターフェースのプレビューピクチャができ上がった後、ユーザに対して画面分割表示インターフェースを表示するよう通知する。ユーザが画面分割表示インターフェースを表示することを確定した場合、画面分割表示インターフェースを表示する。図２Ｊに示すように、第１表示領域にアプリケーションＡが表示され、第２表示領域にアプリケーションＢおよびＣが表示される。ここで、第２表示領域が２つのサブ分割領域に分割され、第１サブ分割領域にアプリケーションＢが表示され、第２サブ分割領域にアプリケーションＣが表示される。
【００６７】
ここで、ユーザが分割領域表示インターフェース上に配置された多機能仮想キーをトリガした後、画面分割退出ウィジェット、交換ウィジェットおよび切替ウィジェットセットのうちの少なくとも１つをディスプレイするようにガイドする。ユーザが画面分割退出ウィジェットを選択した場合、図２Ｋに示すように、第１分割領域で動作して表示されているアプリケーションＡをバックグラウンドで動作するように制御し、第２分割領域に動作しているアプリケーションＢおよびＣを表示するように電子機器を制御する。
【００６８】
このように、本発明の実施例に供される画面分割表示方法では、マルチタスク管理インターフェースを表示するようトリガするための操作信号を受信し、前記マルチタスク管理インターフェースを表示し、マルチタスク管理インターフェース上に表示されている動作中である第１アプリケーションおよび動作中である少なくとも１つの第２アプリケーションをユーザが選択したと検出されたときに画面分割表示インターフェースを生成し、その後、前記画面分割表示インターフェースで前記第１アプリケーションおよび前記少なくとも１つの第２アプリケーションを同時に実行して表示し、生成された画面分割表示インターフェースにてユーザによって選択された第１アプリケーションおよび第２アプリケーションを同時に実行して表示することにより、ユーザが少なくとも２つの異なるアプリケーションを同時に使用可能となる。これにより、電子機器がアプリケーションを表示する方式が単調過ぎるという関連技術の課題が解決でき、ユーザ体験が向上する。
【００６９】
下記は、本発明の方法実施例を実行可能な本発明の装置実施例である。本発明の装置実施例で開示されていない詳細は、本発明の方法実施例を参照すればよい。
【００７０】
図３は、一実施例による画面分割表示装置を示すブロック図である。当該画面分割表示装置は、タッチスクリーンを有する電子機器に用いられる。当該画面分割表示装置は、取得モジュール３０１、第１表示モジュール３０２、処理モジュール３０３、および第２表示モジュール３０４を備えてもよい。
【００７１】
取得モジュール３０１は、マルチタスク管理インターフェースを表示するようトリガするための操作信号を受信するように構成されてもよい。
【００７２】
第１表示モジュール３０２は、取得した、前記電子機器で動作しているアプリケーションがそれぞれ表示されている前記マルチタスク管理インターフェースを表示するように構成されてもよい。
【００７３】
処理モジュール３０３は、動作中である第１アプリケーションおよび動作中である少なくとも１つの第２アプリケーションをユーザが選択したと検出された場合、前記第１アプリケーションと前記少なくとも１つの第２アプリケーションとに基づいて画面分割表示インターフェースを生成するように構成されてもよい。
【００７４】
第２表示モジュール３０４は、前記画面分割表示インターフェースを表示し、前記画面分割表示インターフェースで前記第１アプリケーションと前記少なくとも１つの第２アプリケーションとを同時に動作させて表示するように構成されてもよい。
【００７５】
このように、本発明の実施例に供される画面分割表示装置では、マルチタスク管理インターフェースを表示するようトリガするための操作信号を受信し、前記マルチタスク管理インターフェースを表示し、マルチタスク管理インターフェース上に表示されている動作中である第１アプリケーションおよび動作中である少なくとも１つの第２アプリケーションをユーザが選択したと検出されたときに画面分割表示インターフェースを生成し、その後、前記画面分割表示インターフェースで前記第１アプリケーションおよび前記少なくとも１つの第２アプリケーションを同時に実行して表示し、生成された画面分割表示インターフェースにてユーザによって選択された第１アプリケーションおよび第２アプリケーションを同時に実行して表示することにより、ユーザが少なくとも２つの異なるアプリケーションを同時に使用可能となる。これにより、電子機器がアプリケーションを表示する方式が単調過ぎるという関連技術の課題が解決でき、ユーザ体験が向上する。
【００７６】
図４は、別の実施例による画面分割表示装置を示すブロック図である。当該画面分割表示装置は、タッチスクリーンを有する電子機器に用いられる。当該画面分割表示装置は、取得モジュール４０１、第１表示モジュール４０２、処理モジュール４０３および第２表示モジュール４０４を備えてもよい。
【００７７】
取得モジュール４０１は、マルチタスク管理インターフェースを表示するようトリガするための操作信号を受信するように構成されてもよい。
【００７８】
ここで所謂操作信号は、電子機器上のある物理キーがトリガされたときに生成されるものであってもよいし、ユーザが電子機器上のタッチスクリーンを用いて入力したジェスチャであってもよいし、電子機器が所定軌道に沿って揺れたときに発生したものであってもよい。本実施例では、操作信号について具体的な限定をせず、実際の状況に応じて特定してもよい。
【００７９】
マルチタスク管理インターフェースは、一般的に、動作しているアプリケーションをそれぞれ表示するためのものであり、マルチタスク管理インターフェースにおける各アプリケーションは、当該アプリケーションのプレビューインターフェースの形式で表示されてもよい。ここで所謂プレビューインターフェースは、アプリケーションがフォアグラウンドでの実行から退出する前の、電子機器のディスプレイスクリーン上に最後に表示されたページであってもよい。好ましくは、アプリケーションのプレビューインターフェースは、アプリケーションのメインインターフェースであってもよい。
【００８０】
第１表示モジュール４０２は、取得した、前記電子機器で動作しているアプリケーションがそれぞれ表示されている前記マルチタスク管理インターフェースを表示するように構成されてもよい。
【００８１】
処理モジュール４０３は、動作中である第１アプリケーションおよび動作中である少なくとも１つの第２アプリケーションをユーザが選択したと検出された場合、前記第１アプリケーションと前記少なくとも１つの第２アプリケーションとに基づいて画面分割表示インターフェースを生成するように構成されてもよい。
【００８２】
第２表示モジュール４０４は、前記画面分割表示インターフェースを表示し、前記画面分割表示インターフェースで前記第１アプリケーションと前記少なくとも１つの第２アプリケーションとを同時に動作させて表示させるように構成されてもよい。
【００８３】
本実施例では、処理モジュール４０３は、動作中である第１アプリケーションおよび動作中である少なくとも１つの第２アプリケーションをユーザが選択したと検出された場合、前記マルチタスク管理インターフェースにおいて前記第１アプリケーションと前記少なくとも１つの第２アプリケーションとに基づいて画面分割表示インターフェースに対応するプレビューインターフェースを生成するようトリガするように構成されてもよい。
【００８４】
本実施例では、処理モジュール４０３は、前記第１アプリケーションおよび前記少なくとも１つの第２アプリケーションを順次繋ぎ合わせて、且つ、前記第１アプリケーションおよび前記少なくとも１つの第２アプリケーションの繋ぎ合わせ順に従って前記プレビューインターフェースが第１表示領域と第２表示領域とに分かれるように、画面分割表示インターフェースに対応するプレビューインターフェースを生成するように構成されてもよく、前記第１表示領域に前記第１アプリケーションを表示し、前記第２表示領域に前記少なくとも１つの第２アプリケーションを表示する。
【００８５】
本実施例では、第２表示モジュール４０４は、前記プレビューインターフェースのページレイアウトに従って前記画面分割表示インターフェースを表示するように前記電子機器を制御するように構成されてもよく、前記画面分割表示インターフェースの第１分割領域で前記第１アプリケーションを動作させて表示し、前記画面分割表示インターフェースの第２分割領域で前記少なくとも１つの第２アプリケーションを動作させて表示する。
【００８６】
本実施例では、前記画面分割表示インターフェースは、画面分割退出ウィジェットと交換ウィジェットと切替ウィジェットセットとのうちの少なくとも１つを表示するようにガイドするための多機能仮想キーを含む。
【００８７】
本実施例では、前記装置は、第１制御モジュール４０５と、第２制御モジュール４０６と、第３制御モジュール４０７とをさらに備えてもよい。
【００８８】
第１制御モジュール４０５は、表示中の前記画面分割退出ウィジェットがトリガされると、前記画面分割表示インターフェースから退出するように制御するように構成されてもよい。
【００８９】
第２制御モジュール４０６は、表示中の前記交換ウィジェットがトリガされると、前記画面分割表示インターフェースにおける前記第１分割領域と前記第２分割領域とが分割領域に表示されているアプリケーションを互いに交換するように制御するように構成されてもよい。
【００９０】
第３制御モジュール４０７は、前記第１切替ウィジェットがトリガされると、前記第１分割領域で動作されて表示されている第１アプリケーションを第３アプリケーションに切り替え、前記第２切替ウィジェットがトリガされると、前記第２分割領域で表示されている少なくとも１つの第２アプリケーションを少なくとも１つの第４アプリケーションに切り替えるように構成されてもよい。
【００９１】
本実施例では、第１制御モジュール４０５は、第１制御サブモジュール４０５１、または、第２制御サブモジュール４０５２、または、第３制御サブモジュール４０５３を有してもよい。
【００９２】
第１制御サブモジュール４０５１は、前記第１分割領域で動作されて表示されている前記第１アプリケーションをフルスクリーン表示するように前記電子機器を制御し、且つ前記第２分割領域で動作されて表示されている前記少なくとも１つの第２アプリケーションをバックグラウンドで動作するように制御するように構成されてもよい。
【００９３】
第２制御サブモジュール４０５２は、デスクトップをフルスクリーン表示するように前記電子機器を制御し、且つ前記第１アプリケーションおよび前記少なくとも１つの第２アプリケーションをバックグラウンドで動作するように制御するように構成されてもよい。
【００９４】
第３制御サブモジュール４０５３は、前記第１分割領域で動作して表示されている前記第１アプリケーションをバックグラウンドで動作するように制御し、且つ前記第２分割領域で動作している前記少なくとも１つの第２アプリケーションのみを表示するように前記電子機器を制御するように構成されてもよい。
【００９５】
このように、本発明の実施例に供される画面分割表示装置では、マルチタスク管理インターフェースを表示するようトリガするための操作信号を受信し、前記マルチタスク管理インターフェースを表示し、マルチタスク管理インターフェース上に表示されている動作中である第１アプリケーションおよび動作中である少なくとも１つの第２アプリケーションをユーザが選択したと検出されたときに画面分割表示インターフェースを生成し、その後、前記画面分割表示インターフェースで前記第１アプリケーションおよび前記少なくとも１つの第２アプリケーションを同時に実行して表示し、生成された画面分割表示インターフェースにてユーザによって選択された第１アプリケーションおよび第２アプリケーションを同時に実行して表示することにより、ユーザが少なくとも２つの異なるアプリケーションを同時に使用可能となる。これにより、電子機器がアプリケーションを表示する方式が単調過ぎるという関連技術の課題が解決でき、ユーザ体験が向上する。
【００９６】
本発明の一実施例は、本発明に供される画面分割表示方法を実施可能な画面分割表示装置を提供する。当該画面分割表示装置は、プロセッサと、プロセッサの実行可能な指令を記憶するためのメモリとを備える。
【００９７】
ただし、プロセッサは、マルチタスク管理インターフェースを表示するようトリガするための操作信号を受信し、取得した、前記電子機器で動作しているアプリケーションがそれぞれ表示されている前記マルチタスク管理インターフェースを表示し、動作中である第１アプリケーションおよび動作中である少なくとも１つの第２アプリケーションをユーザが選択したと検出された場合、前記第１アプリケーションと前記少なくとも１つの第２アプリケーションとに基づいて画面分割表示インターフェースを生成し、且つ、前記画面分割表示インターフェースを表示し、前記画面分割表示インターフェースで前記第１アプリケーションと前記少なくとも１つの第２アプリケーションとを同時に動作させて表示するように構成される。
【００９８】
図５は、一実施例による画面分割表示のための装置を示すブロック図である。例えば、装置５００は、携帯電話、コンピュータ、デジタル放送端末、メッセージ送受信機器、ゲームコンソール、タブレットデバイス、医療設備、フィットネス機器、ＰＤＡなどであってもよい。
【００９９】
図５を参照すると、装置５００は、処理ユニット５０２、メモリ５０４、電源ユニット５０６、マルチメディアユニット５０８、オーディオユニット５１０、入力／出力（Ｉ／Ｏ）インターフェース５１２、センサユニット５１４、および、通信ユニット５１６のうちの１つまたは複数を含んでもよい。
【０１００】
処理ユニット５０２は、通常は、表示、通話、データ通信、カメラ操作および記録操作に関連する操作のような、装置５００の全般操作を制御する。処理ユニット５０２は、上記方法の全部または一部のステップを実施させるように、指令を実行するための１つまたは複数のプロセッサ５２０を含んでもよい。また、処理ユニット５０２は、処理ユニット５０２と他のユニットとの間の相互作用を容易にするように、１つまたは複数のモジュールを含んでもよい。例えば、処理ユニット５０２は、マルチメディアユニット５０８と処理ユニット５０２との間の相互作用を容易にするように、マルチメディアモジュールを含んでもよい。
【０１０１】
メモリ５０４は、各タイプのデータを記憶して装置５００での操作をサポートするように構成される。これらのデータの例示は、装置５００で操作するための任意のアプリケーションもしくは方法の指令、連絡先データ、電話帳データ、メッセージ、ピクチャ、ビデオなどを含む。メモリ５０４は、如何なる種別の揮発性もしくは不揮発性記憶装置またはそれらの組合せで実現されてもよい。例えば、スタティックランダムアクセスメモリ（ＳＲＡＭ）、電気的に消去可能なプログラマブル読み出し専用メモリ（ＥＥＰＲＯＭ）、消去可能なプログラマブル読み出し専用メモリ（ＥＰＲＯＭ）、プログラマブル読み出し専用メモリ（ＰＲＯＭ）、読み出し専用メモリ（ＲＯＭ）、磁気メモリ、フラッシュメモリ、磁気ディスクまたは光ディスクであってもよい。
【０１０２】
電源ユニット５０６は、装置５００のユニットのそれぞれに電力を供給する。電源ユニット５０６は、電源管理システム、１つまたは複数の電源、並びに、他の装置５００用の電力を生成、管理および配分するために他のユニットを含んでもよい。
【０１０３】
マルチメディアユニット５０８は、前記装置５００とユーザとの間に1つの出力インターフェースを供給するスクリーンを含む。一部の実施例では、スクリーンは、液晶ディスプレイ（ＬＣＤ）およびタッチパネル（ＴＰ）を含んでもよい。スクリーンは、タッチパネルを含む場合、ユーザからの入力信号を受信するように、ディスプレイスクリーンとして実現されてもよい。タッチパネルは、タッチ、スライドおよびタッチパネルでのジェスチャを感知するように、１つまたは複数のタッチセンサを含む。前記タッチセンサは、タッチあるいはスライド動作の境界を感知するだけではなく、タッチあるいはスライド操作と関連する継続時間および圧力をさらに検出することができる。一部の実施例では、マルチメディアユニット５０８は、１つのフロントカメラおよび/またはバックカメラを含む。装置５００が操作モード、例えば、撮影モードあるいはビデオモードであるとき、フロントカメラおよび/またはバックカメラは、外部のマルチメディアデータを受信することができる。フロントカメラおよびバックカメラのそれぞれは、１つの固定の光学レンズシステムであってもよいし、焦点距離および光学ズーム能力を有するものであってもよい。
【０１０４】
オーディオユニット５１０は、オーディオ信号を出力および/または入力するように構成される。例えば、オーディオユニット５１０は、マイク（ＭＩＣ）を備え、装置５００が操作モード、例えば、発呼モード、記録モードおよび音声識別モードであるとき、マイクは、外部オーディオ信号を受信するように構成される。受信されたオーディオ信号は、さらに、メモリ５０４に格納される、または、通信ユニット５１６を介して送信することができる。一部の実施例では、オーディオユニット５１０は、オーディオ信号を出力するためのスピーカをさらに備える。
【０１０５】
Ｉ/Ｏインターフェース５１２は、処理ユニット５０２とペリフェラルインターフェースモジュールとの間でインターフェースを供給するものであり、上記ペリフェラルインターフェースモジュールは、キーボード、クリックホイール、ボタンなどであってもよい。これらのボタンには、ホームページボタン、ボリュームボタン、起動ボタンおよびロックボタンが含まれてもよいが、それらに限定されない。
【０１０６】
センサユニット５１４は、様々な側面での状態推定を装置５００に供給するための１つまたは複数のセンサを含む。例えば、センサユニット５１４は、装置５００のオン/オフ状態、ユニットの相対位置を検出することができ、ユニットは、例えば、装置５００のディスプレイおよびキーパッドである。センサユニット５１４は、さらに、装置５００もしくは装置５００の１つのユニットの位置変更、ユーザと装置５００との接触の有無、装置５００の方位もしくは加速/減速および装置５００の温度変化をさらに検出することができる。センサユニット５１４は、如何なる物理的接触もないとき、近辺にある物体の存在を検出するための近接センサを含んでもよい。センサユニット５１４は、さらに、イメージングアプリケーションに使用される光センサ、例えばＣＭＯＳまたはＣＣＤ画像センサを含んでもよい。一部の実施例では、当該センサユニット５１４は、さらに、加速度センサ、ジャイロセンサ、磁気センサ、圧力センサまたは温度センサを含んでもよい。
【０１０７】
通信ユニット５１６は、装置５００と他の機器間の無線または有線方式の通信ができるように構成される。装置５００は、通信規格に基づく無線ネットワーク、例えば、ＷｉＦｉ、２Ｇもしくは３Ｇなどの通信規格、またはそれらの組合せに基づく無線ネットワークにアクセスすることができる。ある実施例では、通信ユニット５１６は、外部ブロードキャスト管理システムからのブロードキャスト信号またはブロードキャスト関連情報をブロードキャストチャネルを介して受信する。ある実施例では、通信ユニット５１６は、さらに、短距離通信を容易にするように、ニアフィールド通信（ＮＦＣ）モジュールを含む。例えば、ＮＦＣモジュールは、無線周波数識別（ＲＦＩＤ）技術、赤外線データ協会（ＩｒＤＡ）技術、超広帯域（ＵＷＢ）技術、ブルートゥース（登録商標）（ＢＴ）技術および他の技術によって実現されてもよい。
【０１０８】
実施例では、装置５００は、上記画面分割表示方法を実行するための１つまたは複数の特定用途向け集積回路（ＡＳＩＣ）、デジタル信号プロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサまたは他の電子部品によって実現されてもよい。
【０１０９】
実施例では、指令を含む非一時的コンピュータ読み取り可能な記憶媒体、例えば、指令を含むメモリ５０４をさらに提供し、上記指令が装置５００のプロセッサ５２０によって実行されることで上記画面分割表示方法を実施させることができる。例えば、前記非一時的コンピュータ読み取り可能な記憶媒体は、ＲＯＭ、ランダムアクセスメモリ（ＲＡＭ）、ＣＤ-ＲＯＭ、磁気テープ、フロッピーディスクおよび光データ記憶機器などであってもよい。
【０１１０】
非一時的コンピュータ読み取り可能な記憶媒体であって、前記記憶媒体における指令が装置５００のプロセッサに実行されるとき、装置５００は、図１、図２Ａ、図２Ｇに示す方法を実施可能である。
【０１１１】
当業者は、明細書を考慮し、ここに公開された発明を実践した後、本発明の他の実施案を容易に想到する。本願は、本発明の如何なる変形、用途または適合もカバーすることを意図する。これらの変形、用途または適合は、本発明の一般的な仕組みに従い、かつ、本発明に公開されていない当分野における公知常識または慣用技術手段を含む。明細書および実施例は単なる例示と見なされ、本発明の本当の範囲および思想は添付する特許請求の範囲によって与えられる。
【０１１２】
本発明が以上で記載され、且つ図面に示された正確な構造に限定されるものでなく、その要旨を逸脱しない範囲で様々な補正や変更も可能であることは理解されるべきである。本発明の範囲は、添付する特許請求の範囲のみによって限定される。
【図１】
0006553719.tif 000002
【図２Ａ】
0006553719.tif 000003
【図２Ｂ】
0006553719.tif 000004
【図２Ｃ】
0006553719.tif 000005
【図２Ｄ】
0006553719.tif 000006
【図２Ｅ】
0006553719.tif 000007
【図２Ｆ】
0006553719.tif 000008
【図２Ｇ】
0006553719.tif 000009
【図２Ｈ】
0006553719.tif 000010
【図２Ｉ】
0006553719.tif 000011
【図２Ｊ】
0006553719.tif 000012
【図２Ｋ】
0006553719.tif 000013
【図３】
0006553719.tif 000014
【図４】
0006553719.tif 000015
【図５】
0006553719.tif 000016